(57)【要約】【課題】  定着部の上に位置する領域や定着部から排出された用紙の表裏を反転するための領域のように、定着部の熱によって高温になりやすい領域と、原稿画像に光を照射する照明ランプを備えた読取部とを同一の冷却手段によって冷却することができる画像形成装置を提供する。【解決手段】  画像読取部１０３と、定着装置１０７と、反転排紙部２００と、モータファン２３０とを備えた画像形成装置において、画像読取部１０３と反転排紙部２００の間を含む領域に対向すると共に通風方向が用紙の幅方向であって用紙の搬送方向に直角な方向となるように、モータファン２３０の開口部２４０ａ、２１１ａを配置した。【選択図】  図１
2005196079.tif 000002
【特許請求の範囲】
【請求項１】
照明ランプによって光を照射しながら原稿上の画像情報を読み取る画像読取部と、記録用紙の裏面への画像形成時に記録用紙の表裏を反転する反転排紙部と、この反転排紙部の下方にあって記録用紙上に顕像化された画像を熱によって定着させる定着部と、装置内の高温になる領域を送風によって冷却するための送風冷却手段とを備えた画像形成装置において、
前記画像読取部と前記反転排紙部の間を含む領域に対向すると共に通風方向が記録用紙の幅方向であって記録用紙の搬送方向に直角な方向となるように、前記送風冷却手段の通風用開口部を配置したことを特徴とする画像形成装置。
【請求項２】
必要に応じて着脱可能なオプションユニットとしての第２排紙装置を記録用紙が排出される排紙収納部の上方であって前記画像読取部の下方に配設し、前記第２排紙装置の上面を前記反転排紙部の搬送路終端部に続く搬送路としたことを特徴とする請求項１に記載の画像形成装置。
【請求項３】
前記送風冷却手段を複数設け、前記送風冷却手段の稼動タイミングが異なるように設定したことを特徴とする請求項１又は２に記載の画像形成装置。
【請求項４】
記録用紙が排出される排紙収納部側の開口部分を開閉するための機構を備え、両面印字時の所定のタイミングにおいてのみ開き、両面印字時以外では閉じるように構成したことを特徴とする請求項１に記載の画像形成装置。
【請求項５】
記録用紙の搬送経路における開口部分の開閉は、前記排紙収納部側へ搬送するか前記反転排紙部側へ搬送するかを切り替える可動ガイドの切り替え動作と連動させて切り替えを行うようにしたことを特徴とする請求項４記載の画像形成装置。
【請求項６】
記録用紙の搬送経路における開口部分の開閉は、記録用紙が前記反転排紙部側へ搬送されていることを検知する反転センサのアクチュエータ部の動作と連動させて切り替えを行うようにしたことを特徴とする請求項４記載の画像形成装置。
【発明の詳細な説明】
【技術分野】
【０００１】
本発明は、複写機や複合複写機などの画像形成装置に関し、特に、新たな冷却手段を用いずに読取部と定着部の両方を効率的に冷却することができる画像形成装置に関する。
【背景技術】
【０００２】
原稿の画像情報を読み取り、読み取った画像を記録用紙に形成する電子写真方式の画像形成装置が知られている。このような装置では、例えば、画像読み取り光学系の照明ランプのように発熱する部材を備えているため、そのような発熱部材の周辺が高温になりやすいという問題がある。この問題に対して、例えば特許文献１では、光学系に冷却ファンを備え、光学系を冷却できるようにした技術が提案されている。また、特許文献２では、画像形成装置本体に装着可能なオプション装置の温度上昇性向を有する部品へ外気を送るための空気流通路を画像形成装置の本体に設け、オプション装置が備える温度上昇性向を有する部品の温度上昇を防止する技術が示されている。
【特許文献１】特許第３３４６９７４号
【特許文献２】特開２００２−１９６６５３公報
【発明の開示】
【発明が解決しようとする課題】
【０００３】
ところで、複写機などの画像形成装置では、設置投影面積を小さくするために、用紙搬送レイアウトを工夫して装置筐体が占有する領域内に排紙するいわゆる「胴内排紙」が一般的になっている。その長所は、例えば、読取部の下の排紙スペースに排紙することで水平方向における排紙部の出っ張りが無くなることであるが、その反面、装置の背丈が高くなるという欠点がある。しかし、一方では、上下方向における装置の小型化も要求されている。
その結果、装置の高さを低くするために排紙部が読取部に近づくレイアウトを採用することになり、定着部で発生した熱によりその上の読取部がさらに高温になるという問題が生じている。特に、両面印字機能を備えた場合は、レイアウトの都合上、通紙方向の反転（スイッチバック）を行う反転部が読取部の下（排紙積載部の上）に位置することになるため、定着直後の高温の記録用紙が読取部の真下を往復することで定着部の熱が伝わるだけでなく、片面印字の場合とは別の排紙経路を用意しなければならないので、定着部より上の反転部のレイアウトが複雑になり、機内の空気の流れが妨げられやすくなり、熱がいっそう逃げにくくなるという問題が生じる。
これに対して、上述の特許文献１や特許文献２で示されている技術では、温度が高くなる定着部（定着装置）からの熱については考慮されていないため、定着部（定着装置）の熱の影響によって装置の性能や形成画像の品質に問題が生じることがある。冷却効率を上げるには、例えば、冷却手段を所定位置に増設することが考えられるが、この場合にはコストが増大するという問題が生じる。このように、より接近した定着部から受ける熱の影響や機内の密集化による熱の分散効率の低下という、装置の小型化に伴うレイアウト上の制約から生じる熱の問題が新たに発生している。
そこで、本発明は、上述した実情を考慮してなされたもので、定着部の上に位置する領域や定着部から排出された用紙の表裏を反転するための領域のように、定着部の熱によって高温になりやすい領域と、原稿画像に光を照射する照明ランプを備えた読取部とを同一の冷却手段によって冷却することができる画像形成装置を提供することを目的とする。
【課題を解決するための手段】
【０００４】
上記の課題を解決するために、請求項１に記載の発明は、照明ランプによって光を照射しながら原稿上の画像情報を読み取る画像読取部と、この画像読取部の下方にあって記録用紙の裏面への画像形成時に記録用紙の表裏を反転する反転排紙部と、この反転排紙部の下方にあって記録用紙上に顕像化された画像を熱によって定着させる定着部と、装置内の高温になる領域を送風によって冷却するための送風冷却手段とを備えた画像形成装置において、
前記画像読取部と前記反転排紙部の間を含む領域に対向すると共に通風方向が記録用紙の幅方向であって記録用紙の搬送方向に直角な方向となるように、前記送風冷却手段の通風用開口部を配置したことを特徴とする画像形成装置を最も主要な特徴とする。
また、請求項２に記載の発明では、請求項１の発明にあって、更に、必要に応じて着脱可能なオプションユニットとしての第２排紙装置を記録用紙が排出される排紙収納部の上方であって前記画像読取部の下方に配設し、前記第２排紙装置の上面を前記反転排紙部の搬送路終端部に続く搬送路とした画像形成装画置を主要な特徴とする。
また、請求項３に記載の発明では、請求項１又は２の発明にあって、前記送風冷却手段を複数設け、前記送風冷却手段の稼動タイミングが異なるように設定した画像形成装置を主要な特徴とする。
また、請求項４に記載の発明では、請求項１の発明にあって、更に、記録用紙が排出される排紙収納部側の開口部分を開閉するための機構を備え、両面印字時の所定のタイミングにおいてのみ開き、両面印字時以外では閉じるように構成した画像形成装置を主要な特徴とする。
また、請求項５に記載の発明では、請求項４に記載の発明にあって、記録用紙の搬送経路における開口部分の開閉は、前記排紙収納部側へ搬送するか前記反転排紙部側へ搬送するかを切り替える可動ガイドの切り替え動作と連動させて切り替えを行画像形成装置を主要な特徴とする。
また、請求項６に記載の発明では、請求項４に記載の発明にあって、記録用紙の搬送経路における開口部分の開閉は、記録用紙が前記反転排紙部側へ搬送されていることを検知する反転センサのアクチュエータ部の動作と連動させて切り替えを行うようにした画像形成装置を主要な特徴とする。
【発明の効果】
【０００５】
本発明によれば、胴内排紙及び用紙反転機能の採用のために反転排紙部周辺に熱が伝わりやすく、また、定着部より上の反転排紙部周辺が密集してレイアウトが複雑になる装置構成であっても、反転排紙部と読取部の間を含む領域に対向するように冷却手段の通風用開口部を配置することで、高熱になりやすい複数の領域を同一の冷却手段で効率よく冷却することができる。また、冷却機能に必要なコストを最小限に抑えることが可能になる。
【発明を実施するための最良の形態】
【０００６】
以下、図面を参照して、本発明の実施形態を詳細に説明する。図１は、本発明の画像形成装置の実施形態である画像形成装置１００の概略を示す断面構成図である。図１に示すように、画像形成装置１００本体の略中央に画像形成部１０１が配置されている。また、装置本体の最下部には給紙部１０２が設けられている。この画像形成装置１００では、必要に応じて給紙部１０２を積み重ねて増設することができる。画像形成部１０１の上方には、胴内排紙空間１０４を隔てて読取部としての画像読取部１０３が配設されている。胴内排紙空間（排紙収納部１０４）の底面が排紙トレイ１０５として形成され、画像形成された記録用紙（以下、用紙という）が排紙収納される。
また、画像形成装置１００には用紙の表裏を反転して両面に画像を形成できる機能を備えている。これに伴い、排紙収納部１０４と画像読取部１０３の間には反転トレイ２１０が設けられており、用紙反転動作に伴う用紙の退避領域として使用されるようになっている。用紙反転時の用紙搬送力は反転トレイ２１０に隣接する反転排紙部２００によって与えられる。このように、胴内排紙及び用紙反転機能を採用している都合上、この例における画像形成装置１００では、そのレイアウトは高い位置から画像読取部１０３、反転トレイ２１０及び反転排紙部２００、排紙収納部１０４の順番で配設され、また、小型化達成のために部材が密集して配設されている。なお、反転排紙部２００については後述する。
画像形成部１０１では、ドラム状をした感光体１０６の周囲に、感光体の表面に帯電処理を行う帯電装置、画像情報を感光体表面にレーザ光で照射する露光装置、感光体の表面に露光されて形成された静電潜像を可視化する現像装置、感光体上で現像されたトナー像を用紙に転写する転写装置、転写後感光体表面に残留するトナーを除去回収するクリーニング装置等がそれぞれ配置されている。トナー像を得た用紙上のトナーを定着処理する定着部としての定着装置１０７が画像形成部１０１の下流（用紙の搬送経路での下流）に配置されている。定着装置を通過した用紙は排紙ローラ１０８ａにより排紙収納部１０４に排紙収納される。用紙を反転する場合は、用紙は定着装置１０７から反転排紙部２００へ送られ、用紙が所定位置に到達したところで反転排紙部２００から反転用搬送路へ向かって逆送される。
【０００７】
ここで、反転排紙部２００について図２、図３を用いて説明する。反転排紙部２００は第１ガイド板２０１、第２ガイド板２０２、第３ガイド板２０３、第４ガイド板２０４などからなっている。第１ガイド板２０１には排紙ローラ１０８ａが取り付けられ、また、可動ガイド２０１ａが回動自在に取り付けられている。可動ガイド２０１ａは軸２０１ｂによって軸支されている。可動ガイド２０１ａはソレノイド（不図示）によって位置制御される。これにより、定着装置１０７から送り出された用紙が排紙収納部１０４または反転排紙部２００に振り分けられるようになっている。すなわち、図２のように可動ガイド２０１ａが反転トレイ２１０への搬送路を塞いだ状態では、用紙は排紙収納部１０４側へ搬送され、図３のように可動ガイド２０１ａが排紙収納部１０４への搬送路を塞いだ状態では、用紙は反転トレイ２１０側へ搬送される。
第２ガイド板２０２は排紙収納部１０４に送られる用紙の下側をガイドすると共に、コロ１０８ｂを回転自在に支持している。コロ１０８ｂは排紙ローラ１０８ａに対向する位置に配され、排紙ローラ１０８ａと連携して用紙を排紙収納部１０４へ送り出すためのものである。第３ガイド板２０３は反転トレイ２１０に送られる用紙の印字面をガイドすると共に、コロ２０５ｂを回転自在に支持している。第４ガイド板２０４は第３ガイド板２０３と共に、両面印字時の用紙を反転トレイ２１０にガイドすると共に、回転方向が変更自在な反転ローラ２０５ａを支持している。
用紙は反転トレイ２１０上の所定位置まで搬送された後、スイッチバックして用紙先端（１面目の後端）側から両面ユニット２２０に搬送される。反転動作における用紙搬送力は反転ローラ２０５ａとコロ２０５ｂの連携によって与えられる。両面ユニット２２０内には、専用モータ（不図示）で回転駆動されるローラ対２２１、２２２、２２３が設けられており、これらによって搬送された用紙はレジストローラ１１１へ搬送される。この結果、１面目の後端がスイッチバックして２面目の先端となり、画像形成部１側へは裏返った用紙が送られていく。
給紙部１０２においては、給紙カセット１０９に未使用の用紙が収容されており、回動可能に支持された底板が最上位の用紙を給紙ローラ１１０に押しつけるようバネが加圧する。給紙ローラ１１０の回転により、最上紙は給紙カセットから送り出され、レジストローラ１１１へと搬送される。レジストローラ１１１は用紙の搬送を一時止め、感光体表面のトナー像と用紙の先端との位置関係が所定の位置になるよう、タイミングをとって回転が開始するよう制御される。
【０００８】
画像読取部１０３では、コンタクトガラス上に載置される原稿（不図示）の読み取り走査を行うために、原稿照明用光源とミラーよりなる読み取り走行体１６７が往復移動する。この読み取り走行体１６７により走査された画像情報は、レンズ群１６８の後方に設置されているＣＣＤ１６９に画像信号として読み込まれる。この読み込まれた画像信号は、デジタル化され画像処理される。画像処理された信号に基づいて、露光装置のレーザダイオード：ＬＤ（不図示）の発光により感光体１０６の表面に静電潜像が形成される。ＬＤからの光信号は、公知のポリゴンミラーやレンズを介して感光体１０６に至る。図示していないが、読み取り部１０３の上方に、原稿を自動的にコンタクトガラス上に搬送する自動原稿搬送装置が取り付けられるようになっている。
本実施形態の画像形成装置は、上述した如く原稿を走査して読み取り、デジタル化して用紙に複写する、いわゆるデジタル複写機としての機能の他に、図示せぬ制御装置により原稿の画像情報を遠隔地と授受するファクシミリの機能や、コンピュータが扱う画像情報を用紙上に印刷するいわゆるプリンタの機能を有する多機能の画像形成装置である。どの機能によって形成された画像も排紙収納部１０４上に排出・収納される。排紙収納部にスタックされた用紙は画像面が下面になった状態であり、複写、ファクシミリ、プリンタで扱う原稿の処理順が１ページから行われて印刷されても、排紙収納部から取り出したとき、１ページ目が最上になっており、改めてページを揃えるなどの作業から開放される。排紙収納部１０４からの複写・印刷物の取り出しは装置前面（図１で示す面）からできるし、用紙の補給のための給紙カセット１０９の操作も装置前面からできる。
【０００９】
ところで、この画像形成装置１００では、レイアウトの構成上、定着装置１０７、反転排紙部２００、画像読取部１０３が近接して配置されており、定着装置１０７から立ち上った熱により反転排紙部２００と画像読取部１０３の近傍の読取部底面１０３ａが高温になりやすい。また、両面印字時に反転トレイ２１０に侵入してきた用紙は定着装置１０７で高温に熱せられてトナーが溶着されてから間もないため、非常に高温であり、読取部底面１０３ａの近傍に熱を伝えてしまう。そこで、定着装置１０７の上に位置し、定着装置１０７の熱によって高温になりやすい反転排紙部２００と画像読取部１０３周辺の温度を下げるために、反転排紙部２００と画像読取部１０３の間を含む領域であって、反転排紙部２００の搬送路と画像読取部１０３とが近接している部分に冷却手段を設けている。
冷却手段としてはモータによって回転送風するファンを用いており、図１では反転排紙部２００の搬送路と画像読取部１０３とで挟まれる部分に対向する位置にファンモータ２３０が設けられている。ファンモータ２３０はブラケット２３１に固定されており（図４）、その吸込み側が反転排紙部２００〜反転トレイ２１０にかけての所定の位置に正対している。どちらを重点的に冷却するかは随意であるが、ファンモータ２３０から両者（反転排紙部２００、反転トレイ２１０）までの距離を５０ｍｍ程度離せば均等な効果が得られる。なお、ファンモータ２３０は６０ｍｍ〜９０ｍｍが適当である。
ファンモータ２３０は水平方向（図１では紙面に垂直方向）に送風するように取り付けられ、その前後は通風用の開口となされ、画像読取部１０３と反転トレイ２１０に挟まれた部分に対向する外装カバー２１１には通風用開口部２１１ａが形成されている（図４）。反転排紙部２００は外装カバーで覆われているので冷却には支障がないが、反転トレイ２１０は、デザイン上、外装面の一部となっていることから、外装カバーで隔てられているのが一般的であるため、この例では、反転トレイ２１０とファンモータ２３０との間を仕切る外装カバー２１１に通風用開口部２１１ａを設けている。
この例のように、多機能の画像形成装置にあっては、複写印刷物の排紙収納部が一箇所であることで不都合が生じることがある。たとえば緊急を要するファクシミリによる画像が他の複写印刷物に紛れ込んだり、画像形成装置が多人数で使用されるケースでは、他人が複写・印刷物を持ち去ったりすることが生じる。そのような場合を鑑みて、第２排紙装置を装着可能にしてある。これは、用紙反転動作に伴う用紙の退避領域を第２の排紙収納領域としても使用できるようにしたものである。
【００１０】
図５は、画像形成装置にオプションユニット（第２排紙装置５０）が装着された状態を示す断面構成図である。第２排紙装置５０はオプションであるため、装着前は、画像形成装置１００本体の取付け部には外装カバー２１１が装着されている（図１参照）。これに対し、第２排紙装置５０装着時には、外装カバー２１１を外し、部材２４０（図４）に位置決めされる。さらに、ファンモータ２３０は、図４のように部材２４０に対してブラケット２３１を介して固定されており、部材２４０の通風用開口部２４０ａを通して図１と同様、読取部底面１０３ａ近傍の熱を吸引する。
第２排紙装置５０の上面カバー５０１は図１の反転トレイ２１０に相当する高さに位置し、同様の機能を果たしている。したがって、図４の通風用開口部２４０ａの上下方向の位置は、図５の画像読取部１０３と上面カバー５０１に挟まれた位置となる。なお、通風用開口部２１１ａ、２４０ａはファンモータ２３０の吸気側とし、排気側は画像形成装置背面の外装カバー（不図示）に設けてもよいし、吸気側と排気側を反対にしても構わず、どちらの場合においても同様の効果が期待できる。また、ファンモータ２３０の吸い込みでは、通風用開口部２４０ａ周辺から空気（熱）を吸引することが可能であるから、もちろん、機内の別の領域の空気（熱）の吸込み口として使うこともできる。図５の通風用開口部２４０ｂが、反転排紙部２００及び第２排紙装置５０の発熱部品（不図示）を冷却する空気を通す開口である。
図６は、画像形成装置１００にもう１つのファンモータ２５０を追加した場合の説明図である。画像形成装置１００の左側面に位置するファンモータ２５０は、ダクト２４１を介して定着装置１０７下の熱を排出する。２つのファンモータ２３０、２５０は非同期稼動するように制御される。ここの例では、両面印字する場合のみ稼動するように設定している。
【００１１】
図７はファンモータ２３０、２５０の非同期可動制御のフローチャートである。同図において、印字スタート信号を受けると、片面印字の指示か両面印字の指示かを確認し（ステップＳ１）、片面の指示であることを認識するとステップＳ２へ進んで定着ヒータをＯＮにし、ステップＳ３で所定温度Ｔ０に達したことを確認すると、ステップＳ４で駆動モータがＯＮし、同時にステップＳ５でファンモータ２５０を稼動する。一方、ステップＳ１での認識が両面印字の指示であるときにはステップＳ６へ進んで定着ヒータをＯＮにし、ステップＳ７で所定温度Ｔ０に達したことを確認すると、ステップＳ８で駆動モータがＯＮし、同時にステップＳ９でファンモータ２５０を稼動し、ステップＳ１０へ進んでファン２３０も稼動する。
ステップＳ５又はステップＳ１０の後はステップＳ１１へ進んで印字が終了したかどうかを判断し、終了したことが確認されればステップＳ１２へ進んで駆動モータをＯＦＦにし、ステップＳ１３でファンモータ２３０が停止する。そして、所定時間ｔ０後（ステップＳ１４）、ファンモータ２５０が停止する（ステップＳ１５）。これにより、片面印字時の騒音や電力消費を抑えることが可能になる。両面印字時の駆動モータ停止後の両ファンモータの停止タイミングを異ならせたのも同様の目的によるものである。
このように、胴内排紙及び用紙反転機能の採用のために反転排紙部２００周辺に熱が伝わりやすく、また、定着装置１０７より上の反転排紙部２００周辺が密集してレイアウトが複雑になる装置構成であっても、反転排紙部２００と画像読取部１０３の間を含む領域に対向するようにファンモータ２３０の通風用開口部を配置することで、高熱になりやすい複数の領域を同一のファンモータ２３０で効率よく冷却することができる。また、冷却機能に必要なコストを最小限に抑えることが可能になる。
【００１２】
続いて、記録用紙が排出される排紙収納部１０４側の開口部分（開口部２４０ａ）を開閉するための機構を備え、両面印字時の所定のタイミングにおいてのみ開き、両面印字時以外では閉じるように構成した場合について図８以降の図面を用いて説明する。開閉機構を備えた場合の画像形成装置１００では、図８のように第４ガイド板２０４に反転センサのアクチュエータ部３００が揺動自在に取り付けられている。両面印字時において、１面目（おもて面）の印字が完了した用紙はその先端が可動ガイド２０１ａで案内されて反転トレイ２１０側へ送られ、反転ローラ２０５ａ及びコロ２０５ｂによって引き続き搬送力が与えられ、アクチェエータ部３００を押し倒す（図９）。
これにより、用紙が反転トレイ２１０側に進入したことが検知される。用紙は所定距離（時間）進んだ後（図１０の状態の直後）、反転ローラ２０５ａ及びコロ２０５ｂの逆転により、後端を先端に変えて両面ユニット２２０へと搬送される（図１１〜図１２）。なお、アクチェエータ部３００が先端を検知してからの所定距離（時間）とは、用紙の後端が第３ガイド板２０３と両面ユニット２２０内のガイド板２９０とで構成される位置２９０ａを通過してさらに反転ローラ２０５ａ及びコロ２０５ｂに到達する直前までの時間である。すなわち、この時点で反転ローラ２０５ａ及びコロ２０５ｂが回転方向を変えると、ガイド板の位置関係の効果により、先端（それまでは後端）が先述の位置２９０ａに進入せず、位置２９０ｂ部に進入するようになる。
【００１３】
反転センサのアクチュエータ部３００について図１３、図１４を用いて説明すると、アクチュエータ部３００は板状の遮蔽部３００ｃと棒状の部材から略Ｌ字状となされ、第４ガイド板２０４（図８）に回動自由に取り付けられている。棒状の部分には搬送されてきた用紙が当たってアクチュエータ部３００を回動させるための突出部３００ａと反射型のセンサ３０１の光を遮光する遮光部３００ｂが固定されている。すなわち、用紙が通過していない場合、遮光部３００ｂはセンサ３０１内にあり、光を遮断しており、遮蔽部３００ｃは開口部２４０ａを覆っている（図８、図１２の状態に相当）。
一方、用紙が通過していない場合、遮光部３００ｂはセンサ３０１から外れ、センサ３０１は反射光を検出する状態に変わり（用紙通過を検知）、遮蔽部３００ｃは上側に回動し、開口部２４０ａが開放される（図９〜図１１の状態に相当）。このように構成することで、反転センサ３０１のアクチュエータ部３００の動作と開口部２４０ａの開閉切り替えを連動させており、後述するソレノイドを使用する場合よりも長い時間開口部２４０ａを覆うことになり、尚且つ、用紙が反転トレイ２１０に存在している時間に応じて開口するので、温度上昇防止には有利と言える。
次に、開口部２４０ａを開閉するための機構を可動ガイド２０１ａを用いて構成した場合について説明する。可動ガイド２０１ａは図１５に示すように、軸２０１ｂを回転中心として回動可能に取り付けられており、軸２０１ｂにはねじりスプリング２０１ｄが巻き掛けられ、反転排紙部２００（図８）側をふさぐ方向に回動するように付勢されている。また、可動ガイド２０１ａの端部には当接部２０１ｃが形成されており、ここにはレバー３２０の端部３２０ａが当接している。
レバー３２０は開口部２４０ａを開閉するための略Ｌ字状をなした部材で、支軸３２０ｂを軸として回動可能に取り付けられており、支軸３２０ｂの横にピン３１２によってリンク接続されたソレノイド３１０のプランジャ３１１の前後進によって一方向への回動力が与えられる。すなわち、ソレノイド３１０が非通電の時は、図１５のように、可動ガイド２０１ａはねじりスプリング２０１ｄによって押し上げられ、レバー３２０は開口部２４０ａ側の遮蔽部３２０ｃ重みで２４０ａ側へ倒れている（図８、図１０〜図１２の状態に相当）。
これに対して、ソレノイド３１０が通電している時は、図１６のように、ソレノイド３１０のプランジャ３１１が下側に吸引されてレバー３２０が回動し、レバー３２０の端部３２０ａがばね力に抗して可動ガイド２０１ａを押し下げる。レバー３２０の遮蔽部３２０ｃは上に移動するため、開口部２４０ａが開放される（図９の状態に相当）。このように構成することで、可動ガイド２０１ａの切り替え動作と開口部２４０ａの開閉切り替えを連動させている。
このように、定着工程において高温に熱せられた用紙が反転領域に運ばれてきたときだけ開口部２４０ａを開くように構成した場合には、反転排紙部２００と画像読取部１０３の間を含む領域に対向するようにファンモータ２３０の通風用開口部を配置することで得られる効果に加えて、温度が上昇しやすい部分を必要なときだけ効率的に冷却することが可能となる。なお、開口部２４０ａを開閉するための機構としては、両面印字時の所定のタイミングにおいてのみ開き、両面印字時以外では閉じるようにしたものであれば他の構成を採用することも可能であり、例えば、カバーとそれを移動させるためのソレノイドによって構成することもできる。
【００１４】
図１７は開閉機構を備えた画像形成装置１００において、もう１つのファンモータ２５０を追加した場合を示す断面図である。ファンモータ２５０は装置の左側面に配設され、ダクト２5１を介して定着装置１０７下側の熱を排出する。２つのファンモータ２３０、２５０は印字中は共に同期回転する。図１８のフローチャートを用いて動作を説明すると、まず、印字スタート信号を受けて印字がスタートすると、片面印字の指示か両面印字の指示かに関わらず、ステップＳ２１を経てステップＳ２２へ進んで定着ヒータをＯＮにし、所定温度Ｔ０に達すると（ステップＳ２３）、駆動モータをＯＮにし（ステップＳ２４）、ファンモータ２５０及びファンモータ２３０を駆動する。そして、印字終了を確認すると（ステップＳ２７）、駆動モータとともにファンモータ２３０を停止する（ステップＳ２８及びステップＳ２９）。さらに所定時間ｔ０後（ステップＳ３０）、ファンモータ２５０が停止する（ステップＳ３１）。
【図面の簡単な説明】
【００１５】
【図１】本発明の実施形態である画像形成装置１００の概略を示す断面構成図。
【図２】反転排紙部２００の拡大図（反転トレイ２１０への搬送路が塞がれた状態）。
【図３】反転排紙部２００の拡大図（排紙収納部１０４への搬送路が塞がれた状態）。
【図４】ファンモータ２３０と周辺部材の構成を示す斜視図。
【図５】オプションユニット（第２排紙装置５０）が装着された状態を示す断面構成図。
【図６】ファンモータ２５０を追加した場合の説明図。
【図７】ファンモータ２３０、２５０の非同期可動制御のフローチャート。
【図８】アクチュエータ部３００の取り付け状態を示す要部断面図。
【図９】用紙の先端がアクチュエータ部３００を押し倒すときの状態を示す要部断面図。
【図１０】用紙がアクチュエータ部３００を押し倒したまま反転トレイ２１０側へ進入したときの状態を示す要部断面図。
【図１１】用紙が逆送されて両面ユニット２２０側へ搬送されるときの要部断面図。
【図１２】用紙が逆送されて押し倒されていたアクチュエータ部３００が元の位置に戻った状態を示す要部断面図。
【図１３】アクチュエータ部３００を用いて開閉機構を構成した場合の要部斜視図（開口部２４０ａ遮蔽時）。
【図１４】アクチュエータ部３００を用いて開閉機構を構成した場合の要部斜視図（開口部２４０ａ開放時）。
【図１５】可動ガイド２０１ａを用いて開閉機構を構成した場合の要部斜視図（開口部２４０ａ遮蔽時）。
【図１６】可動ガイド２０１ａを用いて開閉機構を構成した場合の要部斜視図（開口部２４０ａ開放時）。
【図１７】開閉機構に加えてファンモータ２５０を追加した場合の断面図。
【図１８】ファンモータ２３０、２５０の同期駆動制御のフローチャート。
【符号の説明】
【００１６】
５０  第２排紙装置
１００  画像形成装置
１０１  画像形成部
１０２  給紙部
１０３  画像読取部
１０３ａ  読取部底面
１０４  排紙収納部
１０５  排紙トレイ
１０６  感光体
１０７  定着装置
１０８ａ  排紙ローラ
１０８ｂ、２０５ｂ  コロ
１０９  給紙カセット
１１０  給紙ローラ
１１１  レジストローラ
１６７  読み取り走行体
１６８  レンズ群
１６９  ＣＣＤ
１７０  露光装置
２００  反転排紙部
２０１  第１ガイド板
２０１ａ  可動ガイド
２０１ｂ  軸
２０１ｃ  当接部
２０１ｄ  ねじりスプリング
２０２  第２ガイド板
２０３  第３ガイド板
２０４  第４ガイド板
２０５ａ  反転ローラ
２１０  反転トレイ
２１１  外装カバー
２１１ａ、２４０ａ  通風用開口部
２２０  両面ユニット
２２１、２２２、２２３  ローラ対
２３０、２５０  ファンモータ
２３１  ブラケット
２４０  部材
２９０  ガイド板
２９０ａ、２９０ｂ  位置
３００  アクチュエータ部
３００ａ  突出部
３００ｂ  遮光部
３００ｃ  遮蔽部
３０１  センサ
３１０  ソレノイド
３１１  プランジャ
３２０  レバー
３２０ａ  端部
３２０ｂ  支軸
５０１  上面カバー
【図１】
2005196079.tif 000003
【図２】
2005196079.tif 000004
【図３】
2005196079.tif 000005
【図４】
2005196079.tif 000006
【図５】
2005196079.tif 000007
【図６】
2005196079.tif 000008
【図７】
2005196079.tif 000009
【図８】
2005196079.tif 000010
【図９】
2005196079.tif 000011
【図１０】
2005196079.tif 000012
【図１１】
2005196079.tif 000013
【図１２】
2005196079.tif 000014
【図１３】
2005196079.tif 000015
【図１４】
2005196079.tif 000016
【図１５】
2005196079.tif 000017
【図１６】
2005196079.tif 000018
【図１７】
2005196079.tif 000019
【図１８】
2005196079.tif 000020